(57)【要約】【課題】  単にコピーするだけであるのにもかかわらず、ユーザはスキャナドライバとプリンタドライバとプリンタに搭載されているカートリッジの確認などの複雑な操作を必要とし、操作性が非常に悪くなるという問題が生じる。【解決手段】  画像入力装置及び画像出力装置と通信媒体を介して接続される情報処理装置であって、前記画像入力装置による入力設定情報を保持する手段と、前記入力設定情報に対応した出力設定情報を保持する記憶手段と、前記出力設定情報を画像出力プログラムの設定情報に反映させる手段を有することを特徴とする装置および方法。【選択図】  図１
2008072339.tif 000002
【特許請求の範囲】
【請求項１】
画像入力装置及び画像出力装置と通信媒体を介して接続される情報処理装置であって、前記画像入力装置による入力設定情報を保持する手段と、
前記入力設定情報に対応した出力設定情報を保持する記憶手段と、
前記出力設定情報を画像出力プログラムの設定情報に反映させる手段を有することを特徴とする画像処理装置。
【請求項２】
請求項１において、前記入力した設定情報の入力モードがカラー設定の場合は、前記出力設定がカラーであり、
前記入力した設定情報の入力モードがグレースケール設定の場合は、前記出力設定がグレースケールであることを特徴とする画像処理装置。
【請求項３】
請求項１において、前記入力した設定情報の入力モードが写真である場合は、前記出力設定の記録媒体を専用記録媒体にすることを特徴とする画像処理装置。
【請求項４】
請求項１において、前記入力した設定情報の入力モードが文書である場合は、前記出力設定の記録媒体を普通紙にすることを特徴とする画像処理装置。
【請求項５】
請求項１において、前記入力した設定情報の入力モードが写真である場合は、前記出力設定の品位を高品位にすることを特徴とする画像処理装置。
【請求項６】
請求項１において、前記入力した設定情報の入力モードが文書である場合は、前記出力設定の品位を低品位にすることを特徴とする画像処理装置。
【請求項７】
請求項１において、前記入力画像のサイズ情報に対応して前記出力設定のサイズ情報を設定することを特徴とする画像処理装置。
【請求項８】
請求項７において、前記入力画像のサイズ情報に対応して前記出力装置がサポートしている記録媒体サイズの場合には、前記出力設定情報のサイズ設定に定形サイズを指定し、
前記出力装置がサポートしていないサイズの場合には、前記出力設定情報のサイズ設定をユーザが自由に指定できることを特徴とする画像処理装置。
【請求項９】
請求項７において、前記入力画像のサイズ情報に対応して前記出力装置がフチなし印刷をサポートしている記録媒体サイズの場合には、前記出力設定情報のサイズ設定に定形サイズを指定し、さらに出力設定をフチなし設定にすることを特徴とする画像処理装置。
【請求項１０】
請求項１において、前記入力設定情報に加えて、画像処理装置に搭載されている記録カートリッジ情報にも対応して前記出力設定情報を設定することを特徴とする画像処理装置。
【請求項１１】
請求項７において、前記入力設定情報に加えて、画像処理装置に搭載されている記録カートリッジ情報にも対応して前記出力設定情報を設定することを特徴とする画像処理装置。
【請求項１２】
請求項１０及び請求項１１において、前記入力した設定情報の入力モードが写真である場合は、前記出力設定の記録媒体を専用記録媒体にすることを特徴とする画像処理装置。
【請求項１３】
請求項１０及び請求項１１において、前記入力した設定情報の入力モードが文書である場合は、前記出力設定の記録媒体を普通紙にすることを特徴とする画像処理装置。
【請求項１４】
請求項１０及び請求項１１において、前記入力した設定情報の入力モードが写真である場合は、前記出力設定の品位を高品位にすることを特徴とする画像処理装置。
【請求項１５】
請求項１０及び請求項１１において、前記入力した設定情報の入力モードが文書である場合は、前記出力設定の品位を低品位にすることを特徴とする画像処理装置。
【請求項１６】
請求項１０及び請求項１１において、前記入力画像のサイズ情報に対応して前記出力装置がサポートしている記録媒体サイズの場合には、前記出力設定情報のサイズ設定に定形サイズを指定し、
前記出力装置がサポートしていないサイズの場合には、前記出力設定情報のサイズ設定をユーザが自由に指定できることを特徴とする画像処理装置。
【請求項１７】
請求項１０及び請求項１１において、前記入力画像のサイズ情報に対応して前記出力装置がフチなし印刷をサポートしている記録媒体サイズの場合には、前記出力設定情報のサイズ設定に定形サイズを指定し、さらに出力設定をフチなし設定にすることを特徴とする画像処理装置。
【発明の詳細な説明】
【技術分野】
【０００１】
本発明は、画像入力装置及び画像出力装置と通信媒体を介して接続される情報処理装置であって、入力設定情報と出力設定情報が対応した情報を出力プログラム内で保持し、入力設定情報と入力画像情報と画像出力装置の特徴から最適な入力から出力までを実現する画像処理装置および方法に関するものである。
【背景技術】
【０００２】
従来では、画像を読み取る機能を備えるスキャナ装置と、画像データを印刷する機能を備えるプリンタ装置とを、通信媒体を介してパーソナルコンピュータ等ホストコンピュータに接続した画像処理システムが知られている。特に、スキャナ装置で読み取られた画像をプリンタ装置で印刷することができる画像処理システムをコピーシステムという。
【０００３】
コピーシステムにおいて、画像の読み取りや印刷に関する設定、制御などは、ホストコンピュータ上で行われている。近年、これらの設定や制御などをコピーアプリケーションと呼ばれるソフトウエアにより行うコピーシステムが提案されている。コピーアプリケーションは、コピー部数などのコピー情報をディスプレイに画面表示したり、操作者がコピー操作を行うためのユーザインターフェイスをホストコンピュータのディスプレイ上に表示させることができる。表示されたユーザインターフェイス上の操作に関してはコピー部数を指定してコピーボタンを押下するだけといった簡単な操作でコピーが行えるように構成されている。
【特許文献１】特開２００１−３４５９７４号公報
【発明の開示】
【発明が解決しようとする課題】
【０００４】
しかしながら、前述のコピーアプリケーションを使用しても基本的にはスキャナとプリンタの設定独立しているため、ユーザはスキャン画像をグレースケールモードでスキャンしても、写真モードでスキャンしても、後に印刷しようとした場合には、プリンタドライバの設定は前回の設定であるため、そのまま印刷されてしまうか、または、ユーザは自分の目的の印刷条件を設定して印刷しなければならなかった。
【０００５】
また、従来のコピーアプリケーションではプリンタ本体の情報（搭載カートリッジ）を取得してスキャン処理を変更していないので、モノクロカートリッジしか搭載していない状態のプリンタでも、データ量の多いカラー設定でスキャンするという無駄な処理があった。
【０００６】
また、「特開２００１−３４５９７４」では、コピーアプリケーションにおいて入力設定情報及び出力設定情報から、操作者により選択された画像処理モードに対応する入力設定情報及び出力設定情報を取得し、取得した入力設定情報に基づき画像入力装置による画像の入力を制御し、取得した出力設定情報に基づき画像出力装置による画像の出力を制御することが開示されているが、プリンタ本体に搭載されているカートリッジ情報などを考慮していないので、カラー画像でスキャンしてカラー印刷をプリンタに送信した時に初めて、搭載カートリッジを判断するためプリンタドライバは、本体にブラックカートリッジだけが搭載されていた場合は、カラーの印刷データをプリンタに送信することになるので、正しい印刷結果が得られなかった。または、プリンタドライバ側でエラーダイアログを表示して、印刷データとカートリッジのミスマッチを通知して印刷を直前でストップさせることになってしまう。
【０００７】
すなわち、単にコピーするだけであるのにもかかわらず、ユーザはスキャナドライバとプリンタドライバとプリンタに搭載されているカートリッジの確認などの複雑な操作を必要とし、操作性が非常に悪くなるという問題が生じる。さらに、ユーザがスキャン設定またはプリント設定に対する設定を誤ってしまうと、期待している印刷スピードを得られなかったり、高画質の印刷を得られなかったり、印刷結果が予期せぬ結果になってしまうという問題が生じる。
【課題を解決するための手段】
【０００８】
上記目的を達成するため、本発明は以下の構成を特徴とする。
【０００９】
即ち、画像入力装置及び画像出力装置と通信媒体を介して接続される情報処理装置であって、前記画像入力装置による入力設定情報を保持する手段と、
前記入力設定情報に対応した出力設定情報を保持する記憶手段と、
前記出力設定情報を画像出力プログラムの設定情報に反映させる手段を有することを特徴とする装置および方法。
【００１０】
また、上記目的を達成するため、本発明は以下の構成を特徴とする。
【００１１】
前記画像出力装置は、『前記画像入力装置設定情報および前記画像出力装置情報および画像サイズ情報』を基に、前記画像出力装置の設定を行うことを特徴とする。
【発明の効果】
【００１２】
以上説明したように、本発明によれば、画像入力装置及び画像出力装置と通信媒体を介して接続される情報処理装置であって、前記画像入力装置による入力設定情報を保持する手段と、前記入力設定情報に対応した出力設定情報を保持する記憶手段と、前記出力設定情報を画像出力プログラムの設定情報に反映させる手段を有することを特徴とする装置および方法において、前記画像出力装置は、『前記画像入力装置設定情報および前記画像出力装置情報および画像サイズ情報』を基に、前記画像出力装置の設定を行うことによって、ユーザに対していつでもどこでも、画像出力装置の設定をあまりせずに最適な印刷結果を提供できる。
【発明を実施するための最良の形態】
【００１３】
以下、図面を参照して本発明の実施形態について説明する。
【００１４】
図１は、本発明のデータ変換装置の一実施形態を示すシステム構成を示すブロック図である。
【００１５】
入出力装置１０５は、例えばカラースキャナとカラープリンタがひとつとなったマルチファンクションプリンタ（以下ＭＦＰと呼ぶ）である。プリンタ部１０７は、イエロー（Ｙ），マゼンタ（Ｍ），シアン（Ｃ），ブラック（Ｋ）の４色のインクを用い、プリント用紙にカラープリント出力を行うものである。ただし、カラープリンタの中には、高速モノクロ印刷のためにノズル数を多くしたプリントカートリッジや、大容量ブラックインクを利用して印字可能枚数を増加させるために、大容量インクのブラックカートリッジに取り替えて使用する場合がある。本実施例では、ブラックカートリッジとカラーカートリッジを付け替えて利用するプリンタを想定して説明する。スキャナ部１０６は、プリンタ部の上部などに搭載されているフラッドベッドタイプのカラーイメージスキャナである。
【００１６】
制御装置（PC）１００は、ＣＰＵを有し、本システムに関するデータ処理や各部機械的要素の動作制御を実行する。記憶装置は、ＲＯＭ，ＲＡＭ等のメモリやハードディスク、さらにフロッピー（登録商標）ディスク等の外部記憶装置の全体からなるものである。本発明でのスキャナドライバ１０１、プリンタドライバ１０２がインストールされている。また、ＭＦＰとPCは双方向通信が可能であり、PCは本体の情報（紙なし・紙ジャム・搭載カートリッジなど）を取得できる。
【００１７】
本実施例では、スキャナドライバは、スキャン画像１０４を保存すると共に、スキャナドライバの設定１０３を保存することが特徴であり、そのスキャン画像を印刷する時にプリンタドライバは、スキャナドライバの設定に対応してプリンタドライバの設定を決定することも特徴である。
【００１８】
例えば、プリントされたＬ判の写真をＭＦＰのスキャナ部で読み取って印刷する場合の処理を図２のフローチャートに示す。まずユーザはＭＦＰの読み取り部に写真を設置する（Ｓ２０１）。次に、ユーザはPCのスキャナドライバを起動して、好みの設定を行う（Ｓ２０２）。この時、スキャナドライバの設定は、図３の３００に示すとおり、スキャンモード、出力解像度、原稿サイズなどがある。スキャンモードの指定（３０１）は、用途によってカラー（写真）・カラー（雑誌・カタログ）・グレースケールなどがある（図４の４００）。出力解像度の指定（３０２）は、75dpi・150dpi・300dpi・600dpiなどがある（図５の５００）。原稿サイズの指定（３０３）は、例えば、A4・B5・L判・はがき・ユーザ設定などがある（図６の６００）。原稿サイズに関しては、ユーザが設置したドキュメントサイズどおりスキャンする自動モード（オートクロップ処理）も考えられる。そして、最終的にユーザが自分の好みの設定を行い、スキャンを行い入力画像をPCに作成する。この時、例えば、画像ファイル（図７の７００）のヘッダ情報部（７０１）に、スキャンしたＭＦＰ名、スキャンした時のスキャナドライバの設定条件（スキャンモード、出力解像度）とスキャン画像の原稿サイズ情報を７０３のように同時に保存する（Ｓ２０３）。７０２は実画像データ部である。
【００１９】
次にユーザは印刷するために、印刷用アプリケーションを利用して先ほど保存したスキャン画像ファイルをオープンする（Ｓ２０４）。印刷のタイミングはスキャン直後でもいいし、時間をあけて印刷してもまったく問題はない。ユーザは、印刷のためにあらかじめインストールしておいたＭＦＰのプリンタドライバで印刷を実行する。まず、ユーザはプリンタドライバ設定ダイアログをオープンする（図８の８００）。プリンタドライバダイアログは、用紙の種類を指定することが可能である（８０１）。例えば、図９のように用紙の種類を指定することが可能である（９００）。用紙の種類の指定には、普通紙・高品位専用紙・OHP・プロフォトペーパーなどが準備され、用紙の特徴に合わせた画像処理パラメータやプリンタ制御が決定している。またプリンタドライバダイアログは、用紙サイズを指定することが可能である（図８の８０２）。用紙のサイズの指定には、A4・B5・はがき・L判・ユーザ定義サイズなどＭＦＰがサポートしているサポートサイズがリストにされる（図１０の１０００）。またプリンタドライバダイアログは、印刷品質が指定できる（図８の８０３）。印刷品質の指定には、きれい・標準・はやいなどユーザの印刷品質の希望に沿った印刷が可能である。またプリンタドライバダイアログは、グレースケール印刷のON・OFFが可能であり（図８の８０４）、フチなし印刷の設定も可能である（図８の８０５）。
【００２０】
この時、プリンタドライバは画像ファイルのヘッダ情報が存在すれば、画像ファイルのヘッダ情報部をロードして、スキャンしたＭＦＰ名とスキャンした時のスキャナドライバの設定条件（スキャンモード、出力解像度とスキャン画像の原稿サイズ情報をロードする（Ｓ２０５）。また、プリンタドライバは双方向通信可能なので印刷ダイアログオープン直前にＭＦＰと通信して搭載カートリッジなどを取得しておく（Ｓ２０６）。ここでは、カラーカートリッジ（図１１の１１０１  イエロー（Ｙ），マゼンタ（Ｍ），シアン（Ｃ），ブラック（Ｋ）のインク色）やブラックカートリッジ（図１１の１１００  ブラック（Ｋ）インクのみ）などを入れ替えて装着可能なＭＦＰを想定している。これらすべての条件から、プリンタドライバはスキャナドライバとプリンタドライバの設定対応表（図１２の１２００）と、スキャナ画像ファイルのサイズ情報、プリンタ本体のヘッド情報を基にプリンタドライバの設定画面を初期化する（Ｓ２０７）。すなわち、すべての条件の対応は図１３のようになる。
【００２１】
例えば、
スキャナドライバのスキャンモード  ：  カラー（雑誌・カタログ）
スキャン情報（サイズ）  ：  A4
プリンタ本体（カートリッジ情報）  ：  カラー
に対応して、プリンタドライバ側では、以下のように対応づけてプリンタドライバを初期化する。
【００２２】
カートリッジ情報  ：  カラー
用紙の種類  ：  高品位専用紙
印刷品質  ：  きれい
サイズ  ：  A4
グレースケール印刷  ：  OFF
フチなし印刷  ：  OFF
もう１つの例として、
スキャナドライバのスキャンモード  ：  グレースケール
スキャン情報（サイズ）  ：  A4
プリンタ本体（カートリッジ情報）  ：  ブラック
に対応して、プリンタドライバ側では、以下のように対応づけてプリンタドライバを初期化する。
【００２３】
カートリッジ情報  ：  ブラック
用紙の種類  ：  普通紙
印刷品質  ：  標準
サイズ  ：  A4
グレースケール印刷      ：  ON
フチなし印刷  ：  OFF
その他の様々な組み合わせが実現可能であるが、以下の特徴がある。
【００２４】
例えば、スキャナドライバのスキャンモード  ：  カラー（雑誌・カタログ）であっても、ＭＦＰ本体の搭載カートリッジはブラックの場合がある。この場合は、当然カラー印刷できないので、プリンタドライバ側の設定は、カートリッジ  ：  ブラック、グレースケール印刷  ：  ON  となる。このような設定にすれば、カラーデータをＭＦＰに送信して、カートリッジミスマッチ警告で印刷続行できないことなどが解消される。
【００２５】
また、スキャン画像サイズが定形サイズでありフチなし印刷可能なサイズは、プリンタドライバでもフチなし印刷ONとすることも可能である。
【００２６】
さらに、ユーザは印刷設定を確認後、希望する設定に変更することが可能であることは言うまでもない。
【００２７】
また、画像ヘッダ部にスキャン情報がない場合などは、プリンタドライバはデフォルトの状態（例えば、用紙の種類：普通紙、用紙サイズ：A4）が表示される。
【図面の簡単な説明】
【００２８】
【図１】本発明のデータ変換装置の一実施形態を示すシステムの構成を示すブロック図である。
【図２】本発明の処理フローを示した図である。
【図３】スキャナドライバＵＩを表示した図である。
【図４】スキャナドライバＵＩのスキャンモードを表示した図である。
【図５】スキャナドライバＵＩの出力解像度を表示した図である。
【図６】スキャナドライバＵＩの原稿サイズを表示した図である。
【図７】本実施例のスキャナドライバ設定を画像ファイル中に挿入した図である。
【図８】プリンタドライバＵＩを表示した図である。
【図９】プリンタドライバＵＩの用紙の種類を表示した図である。
【図１０】プリンタドライバＵＩの原稿サイズの種類を表示した図である。
【図１１】付け替え可能なカートリッジを表示した図である。
【図１２】スキャナドライバとプリンタドライバの対応テーブル表を示した図である。
【図１３】スキャナドライバ設定情報  ＋  プリンタ出力装置情報  ＋  画像サイズ情報  の組み合わせに対応したプリンタドライバの設定を示したものである。
【図１】
2008072339.tif 000003
【図２】
2008072339.tif 000004
【図３】
2008072339.tif 000005
【図４】
2008072339.tif 000006
【図５】
2008072339.tif 000007
【図６】
2008072339.tif 000008
【図７】
2008072339.tif 000009
【図８】
2008072339.tif 000010
【図９】
2008072339.tif 000011
【図１０】
2008072339.tif 000012
【図１１】
2008072339.tif 000013
【図１２】
2008072339.tif 000014
【図１３】
2008072339.tif 000015